(57)【要約】      （修正有）【課題】炊き込みご飯や赤飯を炊飯器で炊く際に、水の適量だけでなく、調味料の適量も簡単に確認できる炊飯器の内釜を提供する。【解決手段】炊飯器の内釜１０の内周面に、米の量に応じた適量の水位を示す水位目盛１に加え、米の量に応じた調味料の適量を示す適量メモ２−１〜２−５を設けることにより、炊き込みご飯等を炊く際に、調理本やインターネット等でレシピを確認しなくても、内釜１０の内周面を見るだけで、水の適量だけでなく調味料の適量も一緒に確認することができる。【選択図】図３
0003161462.tif 000002
【実用新案登録請求の範囲】
【請求項１】
炊飯器本体内に着脱自在に挿入される内釜の内周面に、米の量に応じた適量の水位を示す水位目盛を有する炊飯器の内釜において、
上記米の量に応じた調味料の適量を示す適量メモを上記内釜の内周面に設けたことを特徴とする炊飯器の内釜。
【請求項２】
上記内釜に入れられる米の量に応じた高さの位置に、当該米の量に応じた調味料の適量を示す適量メモを設けたことを特徴とする請求項１に記載の炊飯器の内釜。
【請求項３】
上記内釜の内周面において上記水位目盛が設けられた位置とは異なる内周方向の位置に上記適量メモを設けたことを特徴とする請求項２に記載の炊飯器の内釜。
【請求項４】
上記米の量に応じた複数の上記適量メモを、上記内釜の内周面においてそれぞれ内周方向に所定角度ずつ異なる位置に設けたことを特徴とする請求項３に記載の炊飯器の内釜。
【考案の詳細な説明】
【技術分野】
【０００１】
本考案は炊飯器の内釜に関し、特に、内周面に目盛線を有する炊飯器の内釜に用いて好適なものである。
【背景技術】
【０００２】
従来、米の量に応じて最適な水位を示す目盛線を内周面に有する炊飯器の内釜が提供されている。この種の内釜を用いた炊飯器では、米の量に応じて目盛線により示される水位まで水を入れて米を炊くことにより、ご飯を美味しく炊き上げることができるようになされている。
【０００３】
なお、米には白米、無洗米、玄米など様々な種類があり、その種類によって水の適量は異なる。また、硬め、軟らかめ、おかゆのように米の炊き方も様々であり、その炊き方によっても水の適量は異なる。そこで、従来の炊飯器の内釜には、米の種類や炊き方に応じて異なる種類の目盛線が設けられている（例えば、特許文献１，２参照）。
【先行技術文献】
【特許文献】
【０００４】
【特許文献１】特開２０００−８３８０７号公報
【特許文献２】特開２００２−１０９０６号公報
【考案の概要】
【考案が解決しようとする課題】
【０００５】
ところで、炊き込みご飯（味ご飯）や赤飯（おこわ）のように、水と一緒にしょうゆ、みりん、酒、塩といった調味料を入れて米を炊く調理法が存在する。しかしながら、従来の炊飯器の内釜には、米の量に応じた適量の水位を示す水位目盛が設けられているのみなので、調理者は米の量に応じた調味料の適量が分からないという問題があった。
【０００６】
炊飯器は、蓋を閉めて炊き込みを開始してしまうと、炊飯の途中で蓋を開けて調味料を足したり、水を足したりすることができない。そのため、最初に入れた調味料の分量が炊き込みご飯等の味を決めてしまう。たいていの調理者は、水の中に調味料を入れたときの見た目の色だけで分量を判断している。その結果、味が濃すぎるご飯が炊けてしまうことが多い。
【０００７】
調味料の適量を知るためには、調理本を開いたりインターネットにアクセスしたりして炊き込みご飯等のレシピを確認する必要がある。調理者にとって、その作業は非常に面倒であった。炊き込みご飯や赤飯は本来炊飯器でも簡単に作れるはずなのに、自宅で実際に作る人が少ないのは、この面倒さが原因の１つであると考えられる。
【０００８】
本考案は、このような問題を解決するために成されたものであり、炊き込みご飯や赤飯を炊飯器で炊く際に、水の適量だけでなく、調味料の適量も簡単に確認できるようにすることを目的とする。
【課題を解決するための手段】
【０００９】
上記した課題を解決するために、本考案では、炊飯器の内釜の内周面に、米の量に応じた適量の水位を示す水位目盛に加え、米の量に応じて調味料の適量を示す適量メモを設けている。
【００１０】
本考案の他の態様では、内釜に入れられる米の量に応じた高さの位置に、当該米の量に応じて調味料の適量を示す適量メモを設けるようにしている。
【考案の効果】
【００１１】
上記のように構成した本考案によれば、炊き込みご飯や赤飯を炊飯器で炊く際に、調理本やインターネット等でレシピを確認しなくても、内釜の内周面を見るだけで、水の適量だけでなく調味料の適量も一緒に確認することができる。内釜の内周面には水位目盛が設けられているのが一般的であり、調理者がご飯を炊くときには内釜の内周面を見ることが習慣化しているので、その習慣に従って内釜の内周面を見るだけで、炊きたい米の量に応じた調味料の適量を適量メモから簡単に把握することができる。
【００１２】
また、本考案の他の特徴によれば、研いだ米を炊飯器の内釜に入れると、内釜に入れられた米の量に応じた高さの位置に、当該米の量に応じた調味料の適量を示す適量メモがちょうど見えるようになる。これにより、米の量に応じた複数の適量メモが内釜の内周面に設けられる場合でも、炊きたい米の量に応じてどの適量メモを見れば良いかが一目瞭然となり、調味料の適量をより簡単に確認することができる。
【図面の簡単な説明】
【００１３】
【図１】本実施形態による炊飯器の内釜の構成例を示す斜視図である。
【図２】本実施形態による炊飯器の内釜の構成例を示す上面図である。
【図３】本実施形態による炊飯器の内釜の内周面を３方向から見た側面図である。
【考案を実施するための形態】
【００１４】
以下、本考案の一実施形態を図面に基づいて説明する。図１〜図３は、本実施形態による炊飯器の内釜の構成例を示す図である。このうち、図１は内釜の斜視図、図２は内釜の上面図、図３は内釜の内周面を３方向から見た側面図を示している。
【００１５】
図１に示すように、本実施形態の内釜１０は、炊飯器本体（図示せず）の内部に着脱自在に挿入されるものであって、その内周面に、米の量に応じた適量の水位を示す水位目盛１を有している。この水位目盛１は、白米や無洗米など米の種類ごとに米の量に応じた水の適量を示すとともに、炊き込みご飯や赤飯（おこわ）などを炊く際の米の量に応じた水の適量を示している。さらに、硬め、軟らかめ、おかゆのように米の炊き方ごとに米の量に応じた水の適量を示すようにしてもよい。
【００１６】
本実施形態では更に、炊き込みご飯や赤飯などを炊く際に米の量に応じて水と一緒に入れる調味料（しょうゆ、みりん、酒、塩など）の適量を示す適量メモを内釜１０の内周面に設けている。図２に示すように、本実施形態では、内釜１０の内周面において、水位目盛１が設けられた位置とは異なる内周方向の位置に複数の適量メモ２−１〜２−５を設けている。図２の例では、内周方向に９０度ずつ異なる位置に、水位目盛１および複数の適量メモ２−１〜２−５を設けている。
【００１７】
なお、図２では説明の都合上、水位目盛１および複数の適量メモ２−１〜２−５を凸状に図示しているが、これは配置場所を単に示したものであって、実際には凸状になっていない。例えば、水位目盛１および複数の適量メモ２−１〜２−５は、内釜１０の内周面に刻印されている。
【００１８】
また、本実施形態では、図３に示すように、内釜１０に入れられる米の量に応じた高さの位置（図３において点線３−１〜３−５で示す）に、当該米の量に応じた調味料の適量を示す適量メモ２−１〜２−５を設けている。具体的には、内釜１０に入れられる米の量に応じてそれぞれ異なる高さの位置に複数の適量メモ２−１〜２−５を設けている。
【００１９】
例えば、１合の炊き込みご飯等を炊く場合、当該１合の米を内釜１０に入れると、図３（ａ）のように米の高さは点線３−１で示す位置となる。この点線３−１で示す米１合の高さの位置（点線３−１のすぐ上側）に、１合の炊き込みご飯等を炊く際に入れる調味料の適量を示す適量メモ２−１を設けている。
【００２０】
また、２合の米を内釜１０に入れると、図３（ｂ）のように米の高さは点線３−２で示す位置となる。この点線３−２で示す米２合の高さの位置（点線３−２のすぐ上側）に、２合の炊き込みご飯等を炊く際に入れる調味料の適量を示す適量メモ２−２を設けている。
【００２１】
ここで、米２合用の適量メモ２−２は、内釜１０の内周面において米１合用の適量メモ２−１とは異なる内周方向の位置（９０度ずれた位置）に設けられている。これは、米１合の高さと米２合の高さが近接しているため、内周方向の同じ位置に２つの適量メモ２−１，２−２を配置すると、適量メモ２−１，２−２を小さくせざるを得ず、メモの内容が見にくくなるからである。米１合用の適量メモ２−１と米２合用の適量メモ２−２とを異なる位置に設けることにより、双方の適量メモ２−１，２−２を見やすい大きさにすることができる。
【００２２】
また、３合の米を内釜１０に入れると、図３（ｃ）のように米の高さは点線３−３で示す位置となる。この点線３−３で示す米３合の高さの位置（点線３−３のすぐ上側）に、３合の炊き込みご飯等を炊く際に入れる調味料の適量を示す適量メモ２−３を設けている。
【００２３】
ここで、米３合用の適量メモ２−３は、内釜１０の内周面において米２合用の適量メモ２−２とは異なる内周方向の位置（９０度ずれた位置）に設けられている。このように、米２合用の適量メモ２−２と米３合用の適量メモ２−３とを異なる位置に設けることにより、双方の適量メモ２−２，２−３を見やすい大きさにすることができる。
【００２４】
また、４合の米を内釜１０に入れると、図３（ａ）のように米の高さは点線３−４で示す位置となる。この点線３−４で示す米４合の高さの位置（点線３−４のすぐ上側）に、４合の炊き込みご飯等を炊く際に入れる調味料の適量を示す適量メモ２−４を設けている。
【００２５】
ここで、米４合用の適量メモ２−４は、内釜１０の内周面において米３合用の適量メモ２−３とは異なる内周方向の位置（水位目盛１を挟んで１８０度ずれた位置）に設けられている。このように、米３合用の適量メモ２−３と米４合用の適量メモ２−４とを異なる位置に設けることにより、双方の適量メモ２−３，２−４を見やすい大きさにすることができる。
【００２６】
また、米４合用の適量メモ２−４は、内釜１０の内周方向において米１合用の適量メモ２−１と同じ位置に設けられている。ただし、米１合用の適量メモ２−１と米４合用の適量メモ２−４は、高さ方向には異なる位置に設けられており、しかも、米１合の高さと米４合の高さで各メモ２−１，２−４の位置が比較的離れた状態となる。これにより、米１合用の適量メモ２−１と米４合用の適量メモ２−４とが同じ内周方向の位置に設けられていても、双方の適量メモ２−１，２−４を見やすい大きさにすることができる。
【００２７】
さらに、５合の米を内釜１０に入れると、図３（ｂ）のように米の高さは点線３−５で示す位置となる。この点線３−５で示す米５合の高さの位置（点線３−５のすぐ上側）に、５合の炊き込みご飯等を炊く際に入れる調味料の適量を示す適量メモ２−５を設けている。
【００２８】
この場合も、米４合用の適量メモ２−４と米５合用の適量メモ２−５とが異なる円周方向の位置に設けられ、米２合用の適量メモ２−２と米５合用の適量メモ２−５とが同じ内周方向の位置でありながらも高さ方向には比較的離れた位置に設けられている。これにより、米５合用の適量メモ２−５も見やすい大きさにすることができる。
【００２９】
以上詳しく説明したように、本実施形態では、炊飯器の内釜１０の内周面に、米の量に応じた適量の水位を示す水位目盛１に加え、米の量に応じて調味料の適量を示す適量メモ２−１〜２−５を設けている。そのため、炊き込みご飯や赤飯を炊く際に、調理本やインターネット等でレシピを確認しなくても、内釜１０の内周面を見るだけで、水の適量だけでなく調味料の適量も一緒に確認することができる。内釜１０の内周面には水位目盛１が設けられているのが一般的であり、調理者がご飯を炊くときに内釜１０の内周面を見ることが習慣化しているので、その習慣に従って内釜１０の内周面を見るだけで、炊きたい米の量に応じた調味料の適量を適量メモ２−１〜２−５から簡単に把握することができる。
【００３０】
また、本実施形態では、内釜１０に入れられる米の量に応じた高さの位置に、当該米の量に応じて調味料の適量を示す適量メモ２−１〜２−５を設けるようにしている。これにより、研いだ米を炊飯器の内釜１０に入れると、内釜１０に入れられた米の量に応じた高さの位置に、当該米の量に応じた調味料の適量を示す適量メモ２−１〜２−５がちょうど見えるようになる。これにより、炊きたい米の量に応じてどの適量メモ２−１〜２−５を見れば良いかが一目瞭然となり、調味料の適量をより簡単に確認することができる。
【００３１】
なお、上記実施形態では、内周方向に９０度ずつ異なる位置に、水位目盛１および複数の適量メモ２−１〜２−５を設ける例について説明したが、本考案はこれに限定されない。例えば、水位目盛１と適量メモ２−１〜２−５との合計数で３６０度を等分した角度（本実施形態では６０度）ずつ異なる位置に、水位目盛１および複数の適量メモ２−１〜２−５を設けるようにしてもよい。
【００３２】
また、上記実施形態では、内釜１０に入れられる米の量に応じた高さの位置に適量メモ２−１〜２−５を設ける例について説明したが、本考案はこれに限定されない。例えば、調味料の適量と共に米の合数を記すことにより、内釜１０の内周面における任意の位置に適量メモ２−１〜２−５を設けるようにしてもよい。
【００３３】
この場合も、調理者は米の量に応じた調味料の適量を適量メモ２−１〜２−５から確認することができる。ただし、炊きたい米の量に応じた適量メモ２−１〜２−５がどこにあるのか、調理者は内釜１０の内周面を見て探す必要がある。一方、図３のように米の量に応じた高さの位置に適量メモ２−１〜２−５を設けるようにすれば、炊きたい米の量に応じてどの適量メモ２−１〜２−５を見れば良いかが一目瞭然となるので、より好ましい。
【００３４】
また、上記実施形態では、内釜１０の内周面において水位目盛１が設けられた位置とは異なる内周方向の位置に適量メモ２−１〜２−５を設ける例について説明したが、本考案はこれに限定されない。例えば、水位目盛１において米の量として記された合数表記（数字）の近傍に、その合数に応じた適量メモ２−１〜２−５を設けるようにしてもよい。ただし、この場合は狭い領域に複数の適量メモ２−１〜２−５を設ける必要があるため、適量メモ２−１〜２−５の大きさが小さくなる。その点、水位目盛１とは異なる位置に適量メモ２−１〜２−５を設けた方が、適量メモ２−１〜２−５を見やすい大きさにすることができるので好ましい。
【００３５】
また、上記実施形態では、内釜１０の内周方向においてそれぞれ異なる位置に複数の適量メモ２−１〜２−５を設ける例について説明したが、本考案はこれに限定されない。例えば、水位目盛１と同様に、内釜１０の内周面において同じ内周方向の位置に、適量メモ２−１〜２−５を配置の高さを変えて設けるようにしてもよい。ただし、この場合も狭い領域に複数の適量メモ２−１〜２−５を設ける必要があるため、適量メモ２−１〜２−５の大きさが小さくなる。よって、高さ方向に位置を変えるだけでなく、円周方向にも位置を変えて複数の適量メモ２−１〜２−５を設ける方が好ましい。
【００３６】
その他、上記実施形態は、何れも本考案を実施するにあたっての具体化の一例を示したものに過ぎず、これによって本考案の技術的範囲が限定的に解釈されてはならないものである。すなわち、本考案はその精神、またはその主要な特徴から逸脱することなく、様々な形で実施することができる。
【符号の説明】
【００３７】
１  水位目盛
２−１〜２−５  適量メモ
１０  内釜
【図１】
0003161462.tif 000003
【図２】
0003161462.tif 000004
【図３】
0003161462.tif 000005